(57)【特許請求の範囲】
【請求項１】
着身部と携行品に取付けたリング紐とを結合部材で連結し、この結合部材を介して携行品を着身携行可能となした携行品の着身連結具において、前記結合部材Ｋは、上下内周面にそれぞれ係止段縁１Ａを有する筒状の雌体１と、この雌体１の上下各部に挿入結合する二つのプラスチック製雄体２とからなり、前記雌体１の下部に挿入結合する雄体２の底部２Ａには、柔軟で細く強靭な糸状のリング紐３を通す大きさで、この紐３に形成した結び目等の瘤３Ａを通さない大きさの紐通し孔４を設けるとともに、この雄体２の周面には、前記紐通し孔４に連通した周面縦割溝５と、この縦割溝５に対向し前記孔４に連通しない周面縦割溝５Ａと、周面突起６とをそれぞれ備え、前記瘤３Ａを紐通し孔４の上縁で係止してこの孔４から外部に導出したリング紐３を有する雄体２と、二つの周面縦割溝５Ａ、周面突起６、着身部Ｓを備え前記雌体１の上部に挿入結合する雄体２とをそれぞれ各雄体２の固有弾力に抗し、前記雌体１内に圧入することで、前記各雄体の周面突起６を雌体１の前記各係止段縁１Ａにそれぞれ各雄体２の復帰弾力により係合させて一つの雌体１に二つの雄体２を結合してなる携行品の着身連結具。
【請求項２】
前記着身部Ｓとして、縦に二つ割りした雄体２を有するプラスチック成形のほぼリング状の着身部Ｓを用いてなる請求項１記載の携行品の着身連結具。
【請求項３】
前記着身部ＳにストラップＳＴを結合してなる請求項１または請求項２記載の携行品の着身連結具。
【請求項４】
前記着身部Ｓとして、縦に二つ割りした雄体２を有するプラスチック成形のベルト掛け着身部Ｓを用いてなる請求項１記載の携行品の着身連結具。
【発明の詳細な説明】
【０００１】
【発明の属する技術分野】
この発明は、携帯電話機やデジタルカメラなどの小型電子機器等の携行品を手持ち式またはベルト掛け式に着身する際に用いて好適な携行品の着身連結具に関する。
【０００２】
【従来の技術】
この種の携帯電話機用下げひも（ストラップ）としては、従来、例えば実用新案登録第３０５５３９４号公報記載のものが有った。
この従来の技術は、携帯電話機に連結した連結紐と、扁平なストラップとを有しており、一方が開放端で他方が貫通孔を有した閉鎖端となっているケースにおいて当該貫通孔から抜き出させた連結紐の端部に金属プレートを止め付けると共に、開放端に前記ストラップの端部を入れ込んで当該端部をリベット止めして当該ストラップと連結紐とを連接させてなる携帯電話機用下げひもである。
【０００３】
【発明が解決しようとする課題】
前記した従来の技術は、携帯電話機に結合すべき連結紐に柔軟で細く強靭なループ状の紐を用いていて、前記ケースの貫通孔が上記連結紐の約二本分の太さの孔径であるため、（前記実用新案登録第３０５５３９４号公報中の図４参照）上記ケースの開口端からかなり奥に有る細い貫通孔への柔軟な連結紐の膨らんだループ状先端の挿通が極めて困難で作業性が悪いという本質的な問題点のほかに、上記ケースからの連結紐の抜け出しを防止するために、前記金属プレートを連結紐にカシメ付ける必要があるから組立て作業性も悪いものであるという大きな問題点が有る。
【０００４】
本発明は、上記各問題点を除去するために、着身部と携行品に取り付けた柔軟で細く強靭な糸状のリング紐とをカシメ付けすることなく結合することと、この結合のための結合部材の細い通路に上記リング紐の膨らんだループ状先端を通さないで、着身部にリング紐を容易かつ、確実に連結することとを目的とする。
【０００５】
【課題を解決するための手段】
上記したこの発明の目的は、着身部と携行品に取付けたリング紐とを結合部材で連結し、この結合部材を介して携行品を着身部で吊下げ可能となした携行品の着身連結具を作るに当たり、前記結合部材は、上下内周面にそれぞれ係止段縁を有する筒状の雌体と、この雌体の上下各部に挿入結合する二つのプラスチック製雄体とからなり、前記雌体の下部に挿入結合する雄体の底部には、柔軟で細く強靭な糸状のリング紐を通す大きさで、この紐に形成した結び目等の瘤を通さない大きさの紐通し孔を設けるとともに、この雄体の周面には、前記紐通し孔に連通した周面縦割溝と、この縦割溝に対向し孔に連通しない周面縦割溝と、周面突起とをそれぞれ備え、前記瘤を紐通し孔の上縁で係止してこの孔から外部に導出したリング紐を有する雄体と、二つの周面縦割溝、周面突起、着身部を備え、かつ、前記雌体の下部に挿入結合する雄体とをこれら雄体の固有弾力に抗し、前記雌体内に圧入することで、前記各雄体の周面突起を雌体の前記各係止段縁にそれぞれ各雄体の復帰弾力により係合させて一つの雌体に二つの雄体を結合しことで達成できた。
【０００６】
【発明の実施の形態】
本発明の実施の形態例について図面を参照して説明する。
先ず、この発明の基本形態は、図１、図２に示すように、手持ちグリップ式または着衣のベルトやポケット縁とか、バッグ内部などに引っ掛けて用いる着身部Ｓと携帯電話機等の携行品Ｔに取付けた柔軟で細く強靭な糸状のリング紐３とを雌雄合着式の結合部材Ｋで連結し、この結合部材Ｋを介して携行品Ｔを着身部Ｓで手持ちまたは吊り下げ可能となした携行品の着身連結具を作るに当り、前記結合部材Ｋは、図１、図３のように周面に透設した横孔１Ｅの縁辺などによる上下左右二つずつ対向した計四つの係止段縁１Ａを有する円筒状のプラスチックまたは金属製雌体１と、この雌体１の上下各部に図１のように挿入して結合させるべきポリプロピレン等プラスチック成形した二つの雄体２とから構成してある。
【０００７】
また、前記二つの雄体２の内、雌体１の下部に挿入結合させる一つの雄体２の底部２Ａには、図４のように通常「松葉」と称する柔軟で細く強靭な糸状のリング紐３を通す大きさで、この紐３の端部付近を結束した結び目等の瘤３Ａを通さない大きさの紐通し孔４を設けるとともに、雄体２の周面には、前記紐通し孔４に連通しその直径よりも幅狭の周面縦割溝５と、この縦割溝５に対向し前記孔４に連通しない周面縦割溝５Ａと、前記雌体下部の係止段縁１Ａにそれぞれ係合させる左右二つの周面突起６とを備える。
【０００８】
次いで、前記図３のように上部に瘤３Ａが有るリング紐３を前記紐通し孔４に連通した雄体周面縦割溝５を経て雄体２内に縦に挿入後、リング紐３を引き下げ、その瘤３Ａを紐通し孔４の上縁で係止してこの孔４から外部に導出したリング紐３を有する雄体２と、同図３のように二つの周面縦割溝５Ａ、周面突起６およびリング状の着身部Ｓを一体的に備え前記雌体１の上部に挿入結合させる例えば縦に二つ割りした雄体２との合計二つの雄体２を、それぞれ前記二つの周面縦割溝５，５Ａによる各雄体固有弾力に抗し、図５のように各縦割溝５，５Ａの幅を狭めつつ各雄体端部を内向きに撓ませながら、前記雌体１の左右の内面ガイド溝１Ｃに雄体突起６を係入して各雄体２を雌体ストッパ面１Ｆまで圧入することで、前記二つの雄体２の各周面突起６の端縁をそれぞれ雌体１の前記係止段縁１Ａに各雄体２の復帰弾力により図１のように係合係止させて一つの雌体１に二つの雄体２を抜け止め結合することができ、本発明による携行品の着身連結具における雌雄合着式の結合部材Ｋを構成して、この結合部材Ｋを図２のように携帯電話機等の携行品Ｔと前記着身部Ｓとの間に介在させて携行品Ｔを着身部Ｓで手持ち式または着身部Ｓに手首を通して腕輪吊り下げ式に携行することができる。
【０００９】
【実施例】
本発明による前記着身部Ｓに一体突設した雄体２は、図示例では二つ割りした例を述べたが、この雄体は必ずしも二つ割りしないでもよく、また、前記雌体１の上下内周面に前記各図のように上下に二つずつ対向した計四つの係止段縁１Ａを形成し、これらの係止段縁１Ａにそれぞれ連通形成した前記横孔１Ｅを経て、図６のように別に用意した二股の取り外し治具Ｊの対向突部ｊを前記二つの係止段縁１Ａに係合している二つの雄体の各周面突起６の外面に当てがい、これらの周面突起６を同図６のようにその固有弾力に抗して前記取り外し治具Ｊの対向突部ｊで互いに内向きに押し込むことで、これらの周面突起６を雌体１の前記係止段縁１Ａから外して雌体１から一つまたは二つの雄体２を容易に抜去できる。
このようにすれば、雌体１と雄体２との組み合わせバリエーションを何時でも何処でも簡単かつ多種多様に選択して自分好みの着身部デザインで即座に使用でき、例えば着身部Ｓをベルト掛けフックとすれば、図７のように使用者Ｍの着衣ベルトＢに携行品Ｔを着身部Ｓで引っ掛けて着身携行することもでき、さらに、着身部Ｓを挟み止め具とし、着衣の襟やポケット縁とか、バッグ内部に挟み付ければ、着衣ポケットやバッグ内の携行品Ｔの落下止めや紛失防止に役立つ。
【００１０】
なお、図２における符号１Ｄで示す一点鎖線部分は、小鈴や各種キャラクタ等の小型装飾体、いわゆる「根付け」や前記取り外し治具Ｊを吊り下げるための根付け取り付け部であるが、これらの「根付け」や取り外し治具Ｊは、前記リング状の着身部Ｓにその二つ割りした雄体２から通して着身部Ｓに備えてもよい。
また、各図における雌体内面のガイド溝１Ｃの下部に遊挿して目隠しするための目隠し凸部２Ｂを雄体２の下部周面に突設してもよく、さらに、雄体２の周面突部６の形状は、雌体１の係止段縁１Ａに係合係止する形状であれば、周面輪郭は円形とか楕円形または角形としてもよく、また、雌体１と雄体２とは、それぞれ円筒状に作った場合につき説明したが、これら雌雄各体の形状は、雌雄連結できる形状であれば、円筒以外に角筒その他の非円筒体としてもよい。
【００１１】
さらに、雄体２に備えた着身部Ｓに図３の鎖線で示すようにストラップＳＴを連結して携行品Ｔを吊り下げ携行するようにしてもよく、また、この逆に着身部Ｓに細紐をからげ繋いで携行品Ｔを吊り下げ携行することもでき、さらにまた、着身部Ｓ自体も図示例のリング状物以外に帯紐状のものや板状のものとか挟み付けクリップなども採用でき、また、リング紐３の瘤３Ａも結び目によるもの以外に、リング紐端付近における樹脂溶着による瘤やハトメ潰しカシメ付けによる瘤３Ａとしてもよい。
【００１２】
【発明の効果】
この発明は、以上のような形態を採用したので、以下に記載の効果を奏する。
着身部と携行品に取付けたリング紐とを結合部材で連結し、この結合部材を介して携行品を着身部Ｓで吊下げ可能となした着身連結具を作るに当たり、前記結合部材Ｋは、上下内周面にそれぞれ係止段縁１Ａを有する筒状の雌体１と、この雌体１の上下各部に挿入結合する二つのプラスチック製雄体２とからなり、前記雌体１の下部に挿入結合する雄体２の底部２Ａには、柔軟で細く強靭な糸状のリング紐３を通す大きさで、この紐３に形成した結び目等の瘤３Ａを通さない大きさの紐通し孔４を設けるとともに、この雄体２の周面には、前記紐通し孔４に連通した周面縦割溝５と、この縦割溝５に対向し孔４に連通しない周面縦割溝５Ａと、周面突起６とをそれぞれ備え、前記瘤３Ａを紐通し孔４の上縁で係止してこの孔４から外部に導出したリング紐３を有する雄体２前記瘤３Ａを紐通し孔４の上縁で係止してこの孔４から外部にリング紐３を導出する際に、リング紐３を上記縦割溝５を経て雄体２の脇から挿入した後、紐３を引き下げるだけの簡単な作業、つまり、前記従来例のように柔軟な糸状のリング紐３の膨らんだループ状先端部分を雌体１の奥の方に有る狭い通路に通さずに、しかも、カシメ付けしないで雄体２からリング紐３を確実かつ、極めて容易に導出連結することができたという優れた効果が有る。
【００１３】
そして、この導出したリング紐３を有し雌体下部に挿入結合する雄体２と、周面縦割溝５Ａ、周面突起６、着身部Ｓを備え、前記雌体１の上部に挿入結合する他の雄体２とをそれぞれ前記二つの周面縦割溝５，５Ａによる雄体固有弾力に抗してすぼめつつ前記雌体１内に上下から挿入することで、前記各雄体周面突起６を雌体１の前記係止段縁１Ａに雄体２の復帰弾力によりパチンと係合させてワンタッチで抜け止め結合することができ、一つの雌体１に二つの雄体２を極めて容易に結合できるという優れた効果も有る。
【００１４】
本発明による請求項２の発明によれば、上記諸効果のほかに、着身部Ｓとして、縦に二つ割りした雄体２を有するプラスチック成形のほぼリング状の着身部Ｓを用いたので、この着身部Ｓに前記取り外し治具Ｊやキヤラクタのような小形装飾体を通し連結することができ、全体的にデザイン的に優れた見栄えのよい着身連結具を得ることができるし、取り外し治具Ｊを常に手元に存在するようにできるから、雌体１と雄体２との組み合わせバリエーションを何時でも何処でも即座に変えて使用でき、また、請求項３のように、前記着身部ＳにストラップＳＴを結合すれば、携行品Ｔをストラップで吊り下げ携行することができ、さらに、請求項４のように、前記着身部Ｓとして、縦に二つ割りした雄体２を有するプラスチック成形のベルト引っ掛け式着身部Ｓを用いれば、着衣ベルトＢに携行品Ｔを吊り下げ携行することもできるという効果を付加できた。
【図面の簡単な説明】
【図１】本発明による携行品の着身連結具の拡大縦断立面図
【図２】本発明による着身連結具の使用例を示す斜視図
【図３】本発明による着身連結具の組立順序を示す縦断立面図
【図４】本発明による着身連結具の組立順序を示す斜視図
【図５】本発明による着身連結具の組立順序を示す縦断立面図
【図６】本発明における雌体から雄体を取外す例を示す縦断立面図
【図７】本発明による着身連結具の他の使用例を示す斜視図
【符号の説明】
１    雌体
１Ａ  係止段縁
１Ｃ  ガイド溝
１Ｄ  根付け取り付け部
１Ｅ  係止段縁に連通した横孔
１Ｆ  ストッパ面
２    雄体
２Ａ  雄体底部
２Ｂ  目隠し凸部
３    糸状のリング紐
３Ａ  リング紐の瘤
４    雄体底部の紐通し孔
５    紐通し孔に連通した周面縦割溝
５Ａ  紐通し孔に連通しない周面縦割溝
６    雄体の周面突起
Ｓ    着身部
Ｔ    携行品
Ｋ    結合部材
Ｊ    取り外し治具
ｊ    取り外し治具の対向突部
ＳＴ  ストラップ
【図１】
0004883497.tif 000002
【図２】
0004883497.tif 000003
【図３】
0004883497.tif 000004
【図４】
0004883497.tif 000005
【図５】
0004883497.tif 000006
【図６】
0004883497.tif 000007
【図７】
0004883497.tif 000008